(57)【要約】  空気浄化用の捕捉装置、浄化装置並びに空気浄化機を開示し、前記空気浄化用の捕捉装置（１００）は、ハウジング（１）と、捕捉アセンブリ（２０）とを備え、ハウジング（１）は、吸気口（１１）及び排気口（１２）を備え、吸気口（１１）及び排気口（１２）と連通するキャビティ（１０）がハウジング（１）内に限定されており、捕捉アセンブリ（２０）は、キャビティ（１０）内に設けられ且つ吸気口（１１）と排気口（１２）との間に設けられ、捕捉アセンブリ（２０）は、第１回転盤（３）、第２回転盤（５）及び円筒（２）を備え、第１回転盤（３）及び第２回転盤（５）は、互いに反対方向に回転可能であり、円筒（２）は、第１回転盤（３）と第２回転盤（５）との間に設けられている。
2021530353.tif 000002
【特許請求の範囲】
【請求項１】
空気浄化用の捕捉装置であって、
吸気口及び排気口を備えたハウジングであって、前記ハウジング内に前記吸気口及び前記排気口と連通するキャビティが規定されている、ハウジングと、
前記キャビティ内に設けられ且つ前記吸気口と前記排気口との間に配置された捕捉アセンブリであって、前記捕捉アセンブリは、回転盤及び円筒を備え、前記回転盤にメッシュが設けられ、前記回転盤は、第１回転盤及び第２回転盤を備え、前記第１回転盤及び前記第２回転盤は、互いに反対方向に回転可能であり、前記第１回転盤に第１メッシュが設けられ、前記第２回転盤に第２メッシュが設けられ、前記第２回転盤は、前記第１回転盤の下流に設けられ且つ前記第１回転盤から軸方向に離間されるように設けられ、前記円筒は、前記第１回転盤と前記第２回転盤との間に設けられ、前記円筒の外周壁は、円筒面であり且つ前記ハウジングの側壁から離間されるように設けられた、捕捉アセンブリと、を備えることを特徴とする、空気浄化用の捕捉装置。
【請求項２】
前記第１メッシュが、少なくとも、前記円筒と前記ハウジングとの間の前記第１回転盤の半径方向の部分に形成され、前記第２メッシュが、少なくとも、前記円筒と前記ハウジングとの間の前記第２回転盤の半径方向の部分に形成されることを特徴とする、
請求項１に記載の空気浄化用の捕捉装置。
【請求項３】
軸方向の前記円筒の少なくとも一端は開放構造に形成され、前記回転盤の軸方向における、前記開放構造に対応する位置にメッシュが設けられていないことを特徴とする、
請求項２に記載の空気浄化用の捕捉装置。
【請求項４】
前記円筒の両端が、閉鎖構造に形成されることを特徴とする、
請求項２に記載の空気浄化用の捕捉装置。
【請求項５】
前記円筒が、前記第１回転盤と前記第２回転盤との間に回転可能に設けられることを特徴とする、
請求項１ないし４のいずれか一項に記載の空気浄化用の捕捉装置。
【請求項６】
前記円筒が、前記第１回転盤及び前記第２回転盤のうちの１つに固定されることを特徴とする、
請求項５に記載の空気浄化用の捕捉装置。
【請求項７】
前記円筒が前記第２回転盤に接続され、前記第２回転盤が環状盤に形成され、前記環状盤の内周縁が前記円筒の外周壁に接続されることを特徴とする、
請求項６に記載の空気浄化用の捕捉装置。
【請求項８】
前記円筒が、前記第１回転盤と前記第２回転盤との間に固定され、且つ前記第１回転盤及び前記第２回転盤に接続されていないことを特徴とする、
請求項１ないし４のいずれか一項に記載の空気浄化用の捕捉装置。
【請求項９】
前記捕捉装置は、
前記第１回転盤を回転させるように駆動する第１駆動部材と、
前記第２回転盤を回転させるように駆動する第２駆動部材と、をさらに備えることを特徴とする、
請求項１に記載の空気浄化用の捕捉装置。
【請求項１０】
前記第１回転盤が、前記第２回転盤の下に設けられ且つ上下方向で前記第２回転盤に対向して設けられ、前記第１駆動部材が、前記第１回転盤の下に設けられ、前記第２駆動部材が、前記第２回転盤の上に設けられることを特徴とする、
請求項９に記載の空気浄化用の捕捉装置。
【請求項１１】
前記捕捉装置は、駆動アセンブリをさらに備え、前記駆動アセンブリは、前記第１回転盤及び前記第２回転盤にそれぞれ接続され、前記駆動アセンブリは、駆動装置及び操舵装置を備え、前記第１回転盤と前記第２回転盤の回転方向が反対になるように、前記駆動装置が、前記操舵装置を介して前記第１回転盤及び前記第２回転盤のうちの少なくとも１つに接続される、ことを特徴とする、
請求項１に記載の空気浄化用の捕捉装置。
【請求項１２】
前記第１回転盤及び前記第２回転盤の両方がワイヤーメッシュ構造であることを特徴とする、
請求項１に記載の空気浄化用の捕捉装置。
【請求項１３】
空気浄化用の浄化装置であって、
請求項１ないし１２のいずれか一項に記載の空気浄化用の捕捉装置と、
前記キャビティ内に設けられ且つ前記吸気口と前記第１回転盤との間に設けられ、前記吸気口から入った空気を水洗浄化するように構成される、水洗浄化アセンブリと、を備えることを特徴とする、前記空気浄化用の浄化装置。
【請求項１４】
請求項１３に記載の空気浄化用の浄化装置を備えることを特徴とする、空気浄化機。
【発明の詳細な説明】
【技術分野】
【０００１】
本発明は、２０１８年０８月３１日に中国特許局に提出された、出願番号が２０１８１１０１３３３０．９である中国特許出願に基づいて提出されるものであり、当該中国特許出願の優先権を主張し、当該中国特許出願の全ての内容が参考として本発明に組み込まれる。
【０００２】
本発明は、家電機器の分野に関し、特に、空気浄化用の捕捉装置、当該空気浄化用の捕捉装置を備えた浄化装置及び空気浄化機に関するものである。
【背景技術】
【０００３】
空気浄化機は、空気を浄化して空気の質を改善するために使用され、関連技術の空気浄化機では、ほとんど濾過装置を使用して空気を直接に浄化する。例えば、濾網や吸着装置を使用して空気中のほこりを濾過または吸着できるが、構造が複雑で、浄化効果が低いという問題がある。
【発明の概要】
【発明が解決しようとする課題】
【０００４】
本発明は、先行技術における技術的課題の少なくとも１つを解決することを目的とする。
【０００５】
よって、本発明の１つの目的は、構造が簡単で、良好な浄化効果を有する、空気浄化用の捕捉装置を提案することである。
【０００６】
本発明は、前記捕捉装置を備えた空気浄化用の浄化装置をさらに提案する。
【０００７】
本発明は、前記空気浄化用の浄化装置を備えた空気浄化機をさらに提案する。
【課題を解決するための手段】
【０００８】
本発明の第１態様の実施例による空気浄化用の捕捉装置は、ハウジング及び捕捉アセンブリを備え、前記ハウジングは、吸気口及び排気口を備え、前記吸気口及び前記排気口と連通するキャビティが前記ハウジング内に設けられ、前記捕捉アセンブリは、回転盤及び円筒を備え、前記回転盤にメッシュが設けられ、前記回転盤は、第１回転盤及び第２回転盤を備え、前記第１回転盤及び前記第２回転盤は、互いに反対方向に回転可能であり、前記第１回転盤に第１メッシュが設けられ、前記第２回転盤に第２メッシュが設けられ、前記第２回転盤は、前記第１回転盤の下流に設けられ且つ前記第１回転盤から軸方向に離間されるように設けられ、前記円筒は、前記第１回転盤と前記第２回転盤との間に設けられ、前記円筒の外周壁は、円筒面であり且つ前記ハウジングの側壁から離間されるように設けられる。
【０００９】
本発明の実施例による空気浄化用の捕捉装置によれば、捕捉アセンブリにより、水洗浄化された空気をさらに濾過浄化することができるため、排気口から排出される空気がより清浄になり、さらに、第１回転盤と第２回転盤が互いに反対方向に回転するため、反対の剪断作用を生じさせ、第１回転盤と第２回転盤との間の領域は、円周方向の空気の動きに反作用を生じさせるため、当該領域の気体の円周方向の移動速度が低下し、空気中の液滴の密度が高いため、慣性力が気体よりはるかに大きく、当該液滴は遠心運動を続けるため、液体が容易に分離され、浄化効果が向上する。したがって、当該空気浄化用の捕捉装置は、構造が簡単で、良好な浄化効果を有する。
【００１０】
さらに、本発明の実施例による空気浄化用の捕捉装置は、以下の追加の技術的特徴をさらに有し得る。
【００１１】
本発明のいくつかの実施例によれば、前記第１メッシュが、少なくとも、前記円筒と前記ハウジングとの間の前記第１回転盤の半径方向の部分に形成され、前記第２メッシュが、少なくとも、前記円筒と前記ハウジングとの間の前記第２回転盤の半径方向の部分に形成されている。
【００１２】
本発明のいくつかの実施例によれば、軸方向の前記円筒の少なくとも一端は開放構造に形成され、前記開放構造に対応する軸方向の前記回転盤の領域にメッシュが設けられていない。
【００１３】
本発明のいくつかの実施例によれば、前記円筒の両端が、閉鎖構造に形成されている。
【００１４】
例示的に、前記円筒が、前記第１回転盤と前記第２回転盤との間に回転可能に設けられている。
【００１５】
例示的に、前記円筒が、前記第１回転盤及び前記第２回転盤のうちの１つに固定的に接続されている。
【００１６】
例示的に、前記円筒が前記第２回転盤に接続され、前記第２回転盤が環状盤に形成され、前記環状盤の内周縁が前記円筒の外周壁に接続されている。
【００１７】
本発明のいくつかの実施例によれば、前記円筒固が、前記第１回転盤と前記第２回転盤との間に固定され、且つ前記第１回転盤及び前記第２回転盤に接続されていない。
【００１８】
本発明のいくつかの実施例によれば、前記空気浄化用の捕捉装置は、第１駆動部材及び第２駆動部材をさらに備え、前記第１駆動部材は、前記第１回転盤を回転させるように駆動し、前記第２駆動部材は、前記第２回転盤を回転させるように駆動する。
【００１９】
例示的に、前記第１回転盤が、前記第２回転盤の下に設けられ且つ上下方向で前記第２回転盤に対向して設けられ、前記第１駆動部材が、前記第１回転盤の下に設けられ、前記第２駆動部材が、前記第２回転盤の上に設けられている。
【００２０】
本発明のいくつかの実施例によれば、前記駆動アセンブリは、前記第１回転盤及び前記第２回転盤にそれぞれ接続され、前記駆動アセンブリは、駆動装置及び操舵装置を含み、前記第１回転盤と前記第２回転盤の回転方向が反対になるように、前記駆動装置が、前記操舵装置を介して前記第１回転盤及び前記第２回転盤のうちの少なくとも１つに接続される。
【００２１】
本発明のいくつかの実施例によれば、前記第１回転盤及び前記第２回転盤の両方がワイヤーメッシュ構造である。
【００２２】
本発明は、空気浄化用の浄化装置をさらに提案する。
【００２３】
本発明の第２態様の実施例による空気浄化用の浄化装置は、上記の実施例における空気浄化用の捕捉装置と、水洗浄化アセンブリとを備え、前記水洗浄化アセンブリは、前記キャビティ内に設けられ且つ前記吸気口と前記第１回転盤との間に設けられ、前記吸気口から入った空気を水洗浄化するように構成される。
【００２４】
本発明の実施例による空気浄化用の浄化装置によれば、上記の実施例における空気浄化用の捕捉装置を備えることにより、空気浄化効果を向上させることができ、空気の含水量を低減させることができる。
【００２５】
本発明は、上記の実施例における空気浄化用の浄化装置を備えた空気浄化機をさらに提案する。
【００２６】
本発明の第３態様の実施例による空気浄化機によれば、上記の実施例における空気浄化用の浄化装置を備えることにより、空気をよりよく浄化することができ、直径が１μｍ以上の粒子状汚染物質及び気体汚染物質の一部を除去できるため、排気口から排出される空気がより清浄になる。さらに、水洗濾過された空気中の液滴が下流に配置された濾過装置（ＨＥＰＡフィルタなど）に入ることを回避でき、このようにして、後置された濾過装置の負担を大幅に低減でき、空気の含水量も低減できるため、水に浸されたＨＥＰＡフィルタにおける細菌の繁殖を回避でき、後置された濾過装置の使用寿命と浄化効果を保証することができる。
【００２７】
本発明の追加の態様及び利点は、以下の説明で部分的に与えられ、その一部は、以下の説明により明らかになるか、または本発明の実施を介して理解され得る。
【００２８】
本発明の上記および／または追加の態様及び利点は、以下の図面を参照した実施例の説明により明らかになり、容易に理解できる。
【図面の簡単な説明】
【００２９】
【図１】本発明の実施例による空気浄化用の捕捉装置の断面図である。
【図２】一角度から見た、本発明の実施例による空気浄化用の捕捉装置の概略構造図である。
【発明を実施するための形態】
【００３０】
以下、本発明の実施例を詳細に説明し、前記実施例の例は図面に示され、同じまたは類似の参照番号は、全体を通して同じまたは類似の要素、または、同じまたは類似の機能を有する要素を示す。以下に図面を参照して説明した実施例は、本発明を説明するための例示的なものに過ぎず、本発明を限定するものとして解釈されるべきではない。
【００３１】
以下、図面を参照しながら、本発明の実施例による空気浄化用の浄化装置について説明する。
【００３２】
本発明の実施例による空気浄化用の浄化装置は、捕捉装置と、水洗浄化アセンブリとを備えることができ、ここで、水洗浄化アセンブリは、空気を水洗浄化して、空気を初期浄化するように構成されることができる。
【００３３】
水洗浄化アセンブリは、空気を水に通させる浸漬アセンブリであり得るか、または水噴霧洗浄アセンブリまたは噴霧水洗浄アセンブリなどであり得る。ここで、水洗濾過された空気には、一定量の除去対象となる液滴が含まれ、また、完全に除去されていない粒子や有毒で有害な気体が含まれる場合もある。
【００３４】
空気が水洗濾過された後、多くの液滴が空気と共に下流側に流れ、空気に依然として一定量の除去されていない粒子や有毒で有害な気体が含まれているため、空気浄化効果をさらに向上させるために、空気中の液滴、粒子、有毒で有害な気体をさらに除去する必要がある。
【００３５】
捕捉装置は、水洗浄化アセンブリの下流に設けられ、水洗浄化された空気を浄化するように構成され、空気の含水量を低減することができる。
【００３６】
以下、図１及び図２を参照して、本発明の実施例による空気浄化用の捕捉装置１００について説明する。
【００３７】
図１及び図２に示されるように、本発明の実施例による空気浄化用の捕捉装置１００は、ハウジング１と、捕捉アセンブリ２０と、を備えることができる。
【００３８】
具体的には、ハウジング１は、吸気口１１及び排気口１２を備え、吸気口１１及び排気口１２と連通するキャビティ１０がハウジング１内に設けられ、ここで、水洗浄化アセンブリは、キャビティ１０内に設けられる。このようにして、空気は、吸気口１１からキャビティ１０に入った後に、排気口１２から流出することができ、キャビティ１０内で空気を水洗浄化することができ、空気を水洗濾過することにより、空気中のほとんどの粒子及び有毒で有害な気体などを捕捉することができる。
【００３９】
捕捉アセンブリ２０は、キャビティ１０内に設けられ且つ吸気口１１と排気口１２との間に設けられ、捕捉アセンブリ２０により空気中の液滴を捕捉でき、このプロセスで、液滴と空気中のダスト粒子との接触も強化されるため、空気の含水量が低減するだけでなく、浄化効果も向上する。
【００４０】
捕捉アセンブリ２０は、回転盤及び円筒２を備え、回転盤にメッシュが設けられ、回転盤は、第１回転盤３及び第２回転盤５を備え、第１回転盤３及び第２回転盤５の両方は回転可能であり、且つ第１回転盤３及び第２回転盤５は、互いに反対方向に回転する。つまり、第１回転盤３及び第２回転盤５の両方がキャビティ１０内に回転可能に設けられ、且つ第１回転盤３の回転方向は、第２回転盤５の回転方向と反対である。例えば、第１回転盤３は時計回りに回転でき、第２回転盤５は反時計回りに回転でき、または、第１回転盤３は反時計回りに回転でき、第２回転盤５は時計回りに回転できる。
【００４１】
第１回転盤３に第１メッシュが設けられ、第２回転盤５に第２メッシュ５１が設けられ、第２回転盤５は、第１回転盤３の下流に設けられ且つ第１回転盤３から軸方向に離間されるように設けられる。つまり、吸気口１１から排気口１２への空気の流れ方向で、第１回転盤３及び第２回転盤５を順番に配置し、空気は、第１回転盤３から第２回転盤５への順に流れる。
【００４２】
第１回転盤３により空気を一次濾過し且つ空気中の液滴の一部を捕捉できる。具体的には、水洗濾過された空気が第１回転盤３に流れ、第１回転盤３が高速で回転するため、第１回転盤３の高速回転により発生する剪断力により、空気を遠心運動させるように駆動できるため、空気が第１回転盤３に接触する前に、空気中の液滴の一部を空気から分離することができる。ここで、水洗浄化された空気に含まれるより小さな液滴は、空気と共に流れ続け、第１回転盤３に流れ、空気が第１回転盤３を通って流れるとき、空気中の液滴は、第１回転盤３に接触する。液滴は、複数の第１メッシュを備えた第１回転盤３上で薄い液膜層に広げられるか、または小さな液滴に噴霧されることができ、薄い液膜層または噴霧された小さな液滴は、第１回転盤３の空隙を通過する空気と強く衝突することにより、気液の接触面積をさらに増加し、同時に、広げられた液膜により空気中のダスト粒子をより効率的に捕捉できるため、ダスト除去をさらに強化できる。同時に、第１回転盤３はまた、空気が下流に流れ続けるように駆動できるため、空気の流動性を向上できる。
【００４３】
第１回転盤３及び第２回転盤５は、空気の流通方向に離間されるように設けられ、第１回転盤３により一次浄化され捕捉された空気は、第１回転盤３と第２回転盤５との間に流れ、第１回転盤３と第２回転盤５は互いに反対方向に回転するため、第１回転盤３及び第２回転盤５によって生成される剪断力は反対であり、そのため、空気が第１回転盤と第２回転盤５との間で流れる時に、互いに反対方向の作用力を受ける。このようにして、円周方向に沿った間隔空間２１内の空気の移動に一定の妨害を与えることにより、空気の円周方向の移動速度を低下させ、空気中の液滴の密度が比較的大きく、液滴の慣性効果が気体よりも大きいため、液滴の動きは空気の動きよりも変化が小さい。つまり、慣性効果により、空気中の液滴は遠心運動を続けるが、气体の慣性効果が液体の慣性効果よりも小さいため、气体と液体の分離が容易になり、気液分離効果が向上する。
【００４４】
空気は、第２回転盤５に流れ続ける。第２回転盤５により空気をさらに濾過して空気中の液体を捕捉することができ、これにより、多段階分離を実現することができ、浄化効果を向上させることができる。さらに、第２回転盤５も、濾過された空気を加速して遠心運動させることにより、浄化效果を向上させることができ、排気口１２への空気の流れに動力を提供できる。ここで、第２回転盤５による空気の浄化及び液滴の捕捉は、第１回転盤３の原理と同じであるため、ここでは繰り返して説明しない。
【００４５】
円筒２は、第１回転盤３と第２回転盤５との間に設けられ、円筒２の外周壁は、円筒面であり且つハウジング１の側壁から離間されるように設けられている。つまり、円筒２の外周壁は、閉じた壁面に形成され、円筒２の内部は円筒２の外部と連通しない。例えば、円筒２は、気密および水密の構造に形成されることができる。図１に示されるように、円筒２は、ハウジング１の側壁から離間して間隔空間２１を形成し、空気は、間隔空間２１内で流通できる。第１回転盤３及び第２回転盤５の中心軸領域における空気の円周速度が小さいため、分離効果が悪い。そのため、円筒２を設けることにより、空気が第１回転盤３及び第２回転盤５の中心軸付近に空気が流れるのを回避し、気液分離効果を向上させ、さらに浄化効果を向上させることができる。
【００４６】
本発明の実施例による空気浄化用の捕捉装置１００によれば、捕捉アセンブリ２０より、水洗浄化された空気をさらに濾過浄化することができるため、排気口１２から排出される空気がより清浄になり、第１回転盤３と第２回転盤５が互いに反対方向に回転するため、反対の剪断作用を生じさせ、第１回転盤３と第２回転盤５との間で流れる空気に異なる方向の作用力を与えることにより、空気の円周方向の移動速度を低減させる。ここで、空気中の液滴の密度が高いため、液滴の慣性力は気体の慣性力よりもはるかに大きく、その結果、当該液滴は遠心運動を続けるが、気体の慣性作用は液体よりも小さいため、液滴が容易に分離される。したがって、空気浄化用の捕捉装置１００は、構造が簡単で、空気浄化効果が良好である。
【００４７】
本発明の実施例による空気浄化用の浄化装置によれば、捕捉装置は、上記の実施例における空気浄化用の捕捉装置１００であり、水洗浄化アセンブリは、キャビティ１０内に設けられ且つ吸気口１１と第１回転盤３との間に設けられ、吸気口１１から入った空気を水洗浄化するように構成される。このようにして、空気は、吸気口１１からキャビティ１０に入って、水洗浄化アセンブリに流れることができ、水洗浄化アセンブリは、それを通って流れる空気を水洗濾過して、空気中のほとんどの粒子状汚染物質及び有毒気体を除去することができ、その後、水洗濾過された空気は、第１回転盤３に流れ、つまり、水洗濾過された空気が捕捉アセンブリに流れることができ、捕捉アセンブリは、水洗濾過された空気中の液滴を捕捉して、空気の含水量を低減させるだけでなく、浄化効果を向上させることもできる
【００４８】
本発明における浄化装置は、家庭用空気浄化の分野に適用されることができる。本発明における上記の浄化装置は、直径が１μｍ以上の粒子状汚染物質及び気体汚染物質の一部を除去できるため、排気口１２から排出される空気がより清浄になる。また、先行技術では、家庭用空気浄化装置のほとんどは、ＨＥＰＡフィルタなどの濾過装置を備えているが、本発明では、捕捉アセンブリ２０により空気中の液滴を捕捉し、空気の含水量を低減することにより、水洗濾過された空気中の液滴が下流の濾過装置などに入ることを回避できる。このようにして、後置された濾過装置の負担を大幅に低減でき、空気の含水量も低減できるため、水に浸された濾過装置内の細菌の繁殖を回避でき、後置された濾過装置の使用寿命と浄化効果を保証できるため、より清浄な空気が排気口１２から排出されることができる。
【００４９】
ここで、第１回転盤３及び第２回転盤５は、低回転速度で動作することができ、比較的低い回転速度は、空気と空気中の液滴の分離を容易にし、空気浄化用の捕捉装置１００が、より良好な構造安定性及び低エネルギ消費を有することを可能にし、より良好に騒音を低減できる。
【００５０】
例示的に、円筒２は、中空構造であり、円筒形の気密部材に形成されることができ、これにより、空気浄化用の捕捉装置１００の重量を低減するだけでなく、円筒２の製造材料を節約し、生産コストを節約することができる。
【００５１】
本発明の説明では、「上」および「下」という用語によって示される方向または位置の関係は、図面に基づく方向または位置の関係であり、単なる本発明の説明の便宜及び簡潔のためのものであることを理解されたい。
【００５２】
本発明のいくつかの実施例では、第１メッシュは、少なくとも、円筒２とハウジング１との間の第１回転盤３の半径方向の部分に設けられることができ、第２メッシュ５１は、少なくとも、円筒２とハウジング１との間の第２回転盤５の半径方向の部分に設けられることができる。具体的には、図１に示されるように、空気流通方向（即ち、図１に示される上下方向）において、第１メッシュは、間隔空間２１に対応する第１回転盤３の部分に設けられることができ、第２メッシュ５１は、間隔空間２１に対応する第２回転盤５の部分に設けられることができる。このようにして、空気は、第１メッシュ、間隔空間２１、及び第２メッシュ５１の間で流れることができる。これにより、空気の流れが促進され、空気の流通面積が保証されるだけでなく、空気抵抗も低減され、空気中の液滴を可能な限り分離することができる。ここで、回転盤の構造に関しては、メッシュは、回転盤全体に分散されてもよく、円筒２とハウジング１との間の回転盤の部分にのみ設けられてもよい。
【００５３】
本発明のいくつかの実施例では、軸方向の円筒２の少なくとも一端は開放構造に形成され、つまり、円筒２は、軸方向に一端が開放構造に形成され、他端が閉鎖構造に形成されることができ、または、円筒２は、両端が開放構造に形成されことができる。ここで、開放構造に対応する軸方向の回転盤の領域にメッシュが設けられていない。
【００５４】
本発明のいくつかの具体的な例では、円筒２は、下端が開放され且つ上端が閉鎖構造に形成されることができる。円筒２の開口部に対応する第１回転盤３の部分にメッシュが設けられていない。つまり、第１メッシュは、円筒２とハウジング１との間の第１回転盤３の部分にのみ設けられており、円筒２の下端の開口部を閉じるために、第１回転盤３の中心領域にはメッシュが設けられていない。この場合、円筒２の上端が閉じているため、円筒２に対応する第２回転盤５の部分に、メッシュが設けられていてもよいし、メッシュが設けられていなくてもよい。
【００５５】
あるいは、円筒２の上端が開放構造に形成される場合、円筒２の上端の開口部を閉じるために、円筒２の開放構造に対応する第２回転盤５の部分にメッシュが設けられない。第２メッシュ５１は、ハウジング１と円筒２との間の第２回転盤５の部分にのみ設けられることができる。この場合、第１回転盤３は、円筒２の下端に対応し、円筒２の閉鎖構造に対応する第１回転盤３の部分に、メッシュが設けられていてもよいし、メッシュが設けられていなくてもよい。
【００５６】
本発明の別のいくつかの例では、円筒２の両端が開放しており、この場合、円筒２の開放構造に対応する第１回転盤３及び第２回転盤５の領域にメッシュが設けられない。つまり、第１回転盤３及び第２回転盤５のの両方の中央部にメッシュが設けられなく、第１メッシュは、円筒２とハウジング１との間の第１回転盤３の部分にのみ設けられ、第２メッシュ５１は、ハウジング１と円筒２との間の第２回転盤５の部分にのみ設けられる。
【００５７】
本発明の別のいくつかの実施例では、円筒２の両端が閉鎖構造に形成され、この場合、軸方向の円筒２に対応する第１回転盤３及び第２回転盤５の領域に、メッシュが設けられていてもよいし、メッシュが設けられていなくてもよい。つまり、第１回転盤３全体に第１メッシュが分散されてもよく、第１メッシュが、円筒２とハウジング１との間の第１回転盤３の部分にのみ設けられてもよく、第２回転盤５全体に第２メッシュ５１が分散されてもよく、第２メッシュ５１が、ハウジング１と円筒２との間の第２回転盤５の部分にのみ設けられてもよい。
【００５８】
ここで、第１回転盤３及び第２回転盤５の構造に関しては、第１回転盤３及び第２回転盤５は、環状または円盤状に形成されることができ、第１メッシュは、第１回転盤３に均等に分散され、第２メッシュ５１は、第２回転盤５に均等に分散される。このようにして、第１回転盤３及び第２回転盤５は、網状構造に形成されることができ、第１回転盤３及び第２回転盤５の製造工程を簡素化することができる。もちろん、第１メッシュ及び第２メッシュ５１が不均一に分散されてもよいことが理解できる。
【００５９】
本発明のいくつかの実施例では、円筒２は、第１回転盤３と第２回転盤５との間に固定的に設けられ、且つ第１回転盤３及び第２回転盤５に接続されていないことができる。つまり、円筒２は、回転できないように固定的に設けられ、別個の支持構造を備えてもよい。
【００６０】
本発明の別のいくつかの実施例では、円筒２は、第１回転盤３と第２回転盤５との間に回転可能に設けられ、これにより、空気が第１回転盤３と第２回転盤５との間に流れると、円筒２が高速で回転して剪断力を発生するため、空気の遠心運動の効果を増加して、気液分離効果をさらに向上させることができる。
【００６１】
例示的に、円筒２は、第１回転盤３及び第２回転盤５のうちの１つに固定的に接続されることができる。つまり、本発明のいくつかの例では、円筒２は、第１回転盤３に固定的に接続されることができ、第１回転盤３は、円筒２を回転させるように駆動する。つまり、第１回転盤３と円筒２は、同期して回転する。本発明の別のいくつかの例では、円筒２は、第２回転盤５に固定的に接続されることができ、第２回転盤５は、円筒２を回転させるように駆動し、第２回転盤５と円筒２は、同期して回転する。このようにして、別個の駆動構造を設けれ必要がなく、構造が簡単で組み立てが容易である。ここで、円筒２を第１回転盤３または第２回転盤５と組み立てるために、円筒２は、第１回転盤３または第２回転盤５とクランプ接続またはねじ接続されるか、または溶接など方式で接続されることもでき、本発明ではこれに対して限定しない。
【００６２】
もちろん、円筒２は、第１回転盤３及び第２回転盤５に接続されなくてもよく、空気浄化用の捕捉装置１００は、円筒２を回転させるように駆動するための別個の駆動構造を備えてもよい。あるいは、円筒２は、他の接続部品により第１駆動部材４または第２駆動部材６に接続されることができる。
【００６３】
本発明のいくつかの具体的な例では、図１に示されるように、円筒２は第２回転盤５に接続され、第２回転盤５は、環状盤に形成され、環状盤の内側壁は円筒２の外周壁に接続されている。つまり、第２回転盤５は、環状に形成され、第２回転盤５は、円筒２の外側に配置され、第２回転盤５の内側壁は、円筒２の外側壁に固定的に接続され、これにより、円筒２と第２回転盤５との固定組立が容易になり、構造が簡単で組み立てが容易である。もちろん、第１回転盤３も環状盤に形成されることができることが理解できる。
【００６４】
例示的に、第１回転盤３及び第２回転盤５は、円盤に形成されることもできる。例えば、第１回転盤３及び第２回転盤５の両方が円盤に形成されることができ、２つの円盤は、それぞれ円筒２の上と下に配置され、さらに、第１回転盤３及び第２回転盤５は、互いに真向かいに設けられた２つの薄片状の回転盤であり得、つまり、第１回転盤３及び第２回転盤５の両方が、薄片円盤状に形成されることができ、第１回転盤３及び第２回転盤５は、上下方向に互いに真向かいに設けられ且つ回転方向が反対である。
【００６５】
第１回転盤３及び第２回転盤５の構造に関しては、第１回転盤３及び第２回転盤５は、ワイヤーメッシュ構造であり得、これにより、第１回転盤３及び第２回転盤は、構造が簡単で、製造および組み立てが容易であり、捕捉アセンブリ２０を使用して、空気中の固体粒子などを分離することができ、同時に、第１メッシュ及び第２メッシュ５１がより均一に分散され、液滴の捕捉及び空気の通過に有益である。もちろん、第１回転盤３及び第２回転盤５は、スポーク構造、線型の回転盤構造などの他の構造形態であってもよく、本発明ではこれに対して限定しない。
【００６６】
本発明のいくつかの実施例では、空気浄化用の捕捉装置１００は、第１駆動部材４と、第２駆動部材６とをさらに備え、第１駆動部材４は、第１回転盤３を回転させるように駆動し、第２駆動部材６は、第２回転盤５を回転させるように駆動する。つまり、第１駆動部材４及び第２駆動部材６は、互いに反対方向に回転して、第１回転盤３及び第２回転盤５を互いに反対方向に回転させる。このように、第１回転盤３及び第２回転盤５は、独立した駆動機構により別々に駆動されるため、第１回転盤３及び第２回転盤５は、回転中に相互に影響を与えず、安定性が良好である。
【００６７】
本発明のいくつかの実施例では、第１回転盤３は、第２回転盤５の下且つ上下方向で第２回転盤５に対向して設けられ、第１駆動部材４は、第１回転盤３の下に設けられ、第２駆動部材６は、第２回転盤５の上に設けられ、これにより、第１駆動部材４及び第２駆動部材６の取り付けと組み立てが容易になるだけでなく、第１駆動部材４及び第２駆動部材６が液滴及びほこりによって腐食されることを回避し、第１駆動部材４と第２駆動部材６の安全性と信頼性を保証する。
【００６８】
例示的に、第１駆動部材４及び第２駆動部材６は密封されてもよく、これにより、第１駆動部材４及び第２駆動部材６が液滴及びほこりによって腐食されることをさらに防止し、第１駆動部材４及び第２駆動部材６の使用寿命を向上させることができる。
【００６９】
本発明の別のいくつかの実施例では、空気浄化用の捕捉装置１００は、駆動アセンブリをさらに備え、駆動アセンブリは、第１回転盤３及び第２回転盤５にそれぞれ接続される。駆動アセンブリは、駆動装置及び操舵装置を備え、第１回転盤３と第２回転盤５の回転方向が反対になるように、駆動装置は、操舵装置を介して第１回転盤３及び第２回転盤５のうちの少なくとも１つに接続される。つまり、第１回転盤３及び第２回転盤５は、同一の駆動装置により駆動させることができ、これにより、第１回転盤３及び第２回転盤５は、同時に回転することができる。
【００７０】
具体的には、第１回転盤３及び第２回転盤５の一方を、駆動装置に接続して、駆動装置により駆動させることができ、第１回転盤３及び第２回転盤５の他方を、操舵装置を介して駆動装置に接続することができる。例えば、第１回転盤３を、駆動装置に接続して、駆動装置より駆動させることができ、第２回転盤５を、駆動装置に間接的に接続するように、操舵装置に接続し、このようにして、駆動装置は、第１回転盤３を回転させるように駆動でき、操舵装置駆動して、第２回転盤５が第１回転盤３の回転方向と反対の方向に回転させるように駆動できる。ここで、操舵装置は、歯車アセンブリ、または第２回転盤５が第１回転盤３の回転方向と反対の方向に回転させるように駆動できる任意の他の装置であり得、本発明ではこれに対して限定しない。
【００７１】
本発明は、上記の実施例における空気浄化用の浄化装置を備えた空気浄化機をさらに提案する。
【００７２】
本発明の実施例による空気浄化機によれば、上記の実施例における空気浄化用の浄化装置を備えることにより、空気をよりよく濾過することができ、直径が１μｍ以上の粒子状汚染物質及び気体汚染物質の一部を除去できるため、排気口１２から排出される空気がより清浄になる。さらに、水洗濾過された空気中の液滴が下流に配置された濾過装置（ＨＥＰＡフィルタなど）に入ることを回避でき、このようにして、後置された濾過装置の負担を大幅に低減でき、空気中水分も除去できるため、水に浸されたＨＥＰＡフィルタにおける細菌の繁殖を回避でき、後置された濾過装置の使用寿命と浄化効果を保証できるため、より清浄な空気が排気口１２から排出されることができる。
【００７３】
本発明の実施例による空気浄化機の他の構成及び動作は、当業者にとっては既知であるため、本明細書では詳細に説明しない。
【００７４】
本明細書の説明において、「一実施例」、「いくつかの実施例」、「例示的な実施例」、「例」、「具体的な例」、または「いくつかの例」などの用語に言及する説明は、当該実施例または例に説明された具体的な特徴、構造、材料、または特性が、本発明の少なくとも１つの実施例または例に含まれることを意味する。本明細書では、上記の用語の例示的な表現は、必ずしも同じ実施例または例を指すとは限らない。さらに、説明された具体的な特徴、構造、材料、または特性は、任意の１つまたは複数の実施例または例において適切な方式で組み合わせることができる。
【００７５】
本発明の実施例を示して説明したが、当業者なら自明であるが、本発明の原理および意図から逸脱することなく、これらの実施例に対して様々な変更、修正、置換及び変形を行うことができ、本発明の範囲は、特許請求の範囲及びその同等物等同物によって定義される。
【符号の説明】
【００７６】
１００：空気浄化用の捕捉装置、
１：ハウジング
１０：キャビティ
１１：吸気口
１２：排気口
２０：捕捉アセンブリ
２１：間隔空間
２：円筒
３：第１回転盤
４：第１駆動部材
５：第２回転盤
５１：第２メッシュ
６：第２駆動部材。
【図１】
2021530353.tif 000003
【図２】
2021530353.tif 000004
【国際調査報告】
2021530353.tif 000005
2021530353.tif 000006
2021530353.tif 000007
2021530353.tif 000008